(57)【要約】
【課題】　単純な構造で十分な風抜き効果が得られる風抜き傘の提供。
【解決手段】　補助骨１２が親骨１０の下方に配置されて中心棒５に向かって張り出し、シート２は、親骨１０の上面外側部に配置される外側シート２１と、外側部が外側シート２１の上方に重なる内側シート２０から成り、外側シート２１と内側シート２０は間隙を残して連結され、外側シート２１の内縁部が補助骨１２の内側端部に連結される。
【選択図】　　　　　図１
0003099598.tif 000002
【実用新案登録請求の範囲】
【請求項１】
　中心棒と、それぞれ複数の親骨、受骨及び補助骨と、シートとを備え、前記中心棒の上端部に固定された上ロクロに前記親骨の内端部が枢着され、前記受骨の一端は前記親骨の中間部に枢着されると共に、前記受骨の他端は、前記中心棒に摺動自在に装着された下ロクロに枢着され、前記補助骨は、前記親骨の下方に配置されて、前記中心棒に向かって張り出され、前記シートは、前記親骨の上面外側部に配置される外側シートと、前記親骨の上面に配置されて、外側部が前記外側シートの上方に重なる内側シートとから成り、該外側シートと内側シートとは間隙を残して相互に連結され、前記外側シートの内縁部が前記補助骨の内側端部に連結されたことを特徴とする風抜き傘。
【請求項２】
　前記親骨に連結具を固定し、前記補助骨の一端を前記連結具に接合した請求項１に記載の風抜き傘。
【請求項３】
　前記連結具が前記親骨と一体成形されている請求項２に記載の風抜き傘。
【考案の詳細な説明】
【技術分野】
【０００１】
　本考案は、風抜き傘に関する。
【背景技術】
【０００２】
　従来の風抜き傘は、傘骨上面を覆うシートが内側シートと外側シートの二段に形成され、内側シートと外側シートとが組み合わされる部分に風抜きのための間隙が形成されている。
　そして、この間隙を利用して、傘の内部に吹き込んだ風を外部に排出し、傘内に加わる風力を低減して、傘骨の破損を防ぐようになっている。
【考案の開示】
【考案が解決しようとする課題】
【０００３】
　ところが、上記従来の風抜き傘は、外側シートの内縁部が親骨の中間部に固定されているので、隙間が十分に開かず、風抜き効果が不十分で、風力による傘骨の破損等を完全に防ぐことができなかった。
　本考案は、このような問題を解消し、単純な構造で十分な風抜き効果が得られる風抜き傘の提供を課題とする。
【課題を解決するための手段】
【０００４】
　本考案の風抜き傘は、中心棒と、それぞれ複数の親骨、受骨及び補助骨と、シートとを備え、前記中心棒の上端部に固定された上ロクロに前記親骨の内端部が枢着され、前記受骨の一端は前記親骨の中間部に枢着されると共に、前記受骨の他端は、前記中心棒に摺動自在に装着された下ロクロに枢着され、前記補助骨は、前記親骨の下方に配置されて、前記中心棒に向かって張り出され、前記シートは、前記親骨の上面外側部に配置される外側シートと、前記親骨の上面に配置されて、外側部が前記外側シートの上方に重なる内側シートとから成り、該外側シートと内側シートとは間隙を残して相互に連結され、前記外側シートの内縁部が前記補助骨の内側端部に連結されている。
　前記親骨に連結具を固定し、前記補助骨の一端を前記連結具に接合しても良い。この場合、前記連結具と前記親骨とを一体成形することもある。
【考案の効果】
【０００５】
　本考案によれば、傘を開くと、補助骨によって外側シートの内縁部が押し下げられ、外側シートと内側シートの接続部分に形成された間隙が大きく開くので、傘内へ吹き込んだ風を効率的に排出することができ、このため、傘が裏返ったり、傘骨が破損するのを防ぐことができる。
【考案を実施するための最良の形態】
【０００６】
　以下、本考案の実施例を図面に基づいて詳細に説明する。
【実施例１】
【０００７】
　図１及び図２に示すように、風抜き傘は、中心棒５と、複数の親骨１０、受骨１１及び補助骨１２と、シート２とを備える。
　親骨１０の内側端は、中心棒５の上端部に固定された上ロクロ３に枢着され、親骨１０の中間部に受骨１１の一端が枢着されている。
　また、受骨１１の他端は、中心棒５に摺動自在に嵌装された下ロクロ４に枢着されている。
　受骨１１の枢着部分よりも外方において、親骨１０に連結具１３が固定され、この連結具１３に補助骨１２の一端が接合される。補助骨１２は、親骨１０の下方において、中心棒５へ向けて張り出している。
【０００８】
　シート２は、親骨１０の上面を被覆し、親骨１０の上面外側部に配置される外側シート２１と、親骨１０の上面に配置されて、外側部が外側シート２１の上方に重なる内側シート２０とから成る。
　内側シート２０と外側シート２１とは、間隙を残して互いに接合されており、連結具１３よりも外方のＰ位置において、内側シート２０は親骨１０に縫い止められている。
　連結具１３とＰ位置との間のＨ位置において、外側シート２１には通孔が形成され、この通孔に親骨１０が挿通される。従って、外側シート２１の内側部は親骨１０よりも下方に位置して補助骨１２の下方を通る。また、外側シート２１の内縁部は補助骨１２の内側端部に連結されている。
【０００９】
　下ロクロ４を中心棒５に沿って押し上げると、下ロクロ４に枢着されている受骨１１の他端も上昇し、受骨１１が親骨１０を外方へ押し開いて、親骨１０が放射状に開く。
　すると、親骨１０に支持されたシート２が広がり、外側シート２１の張力により補助骨１２の内側端部が下方へ引っ張られて、補助骨１２が下方に撓む。
　この結果、図３に示すように、補助骨１２の下方を通る外側シート２１の内側部分は下方に押されて、内側シート２０と外側シート２１との間隙が親骨１０間において大きく開き、傘内に吹き込んだ風を効果的に排出し、傘が裏返ったり、親骨１０が破損するのを防ぐことができる。
【実施例２】
【００１０】
　図４は、下ロクロ４を押し上げなくても自動的に開く、所謂、ワンタッチ開放式の風抜き傘である実施例２を示す。
　下ロクロ４の下方において、係留筒６を中心棒５へ摺動自在に嵌装し、係留筒６と受骨１１の中間部とを連結骨１４で連結する。また、中心棒５の下部には、係留筒６と着脱自在に係合する固定操作片（図示せず）を設け、下ロクロ４と係留筒６との間にコイルスプリング７を介在する。
　補助骨１２及びシート２の構造は、実施例１とほぼ同様である。
【００１１】
　係留筒６を中心棒５の下部まで摺動させて固定操作片と係合すると、係留筒６はその位置で固定され、連結骨１４及び受骨１１を介して係留筒６と接続された下ロクロ４も中心棒５の下部に移動し、コイルスプリング７が圧縮される。そして、受骨１１に引っ張られて親骨１０及びシート２も閉じる。
　固定操作片を操作して係留筒６との係合を解除すると、コイルスプリング７が次第に延びながら下ロクロ４及び係留筒６が中心棒５に沿って上昇し、受骨１１に押し開かれて親骨１０が開くと共に、シート２が広がる。そして、実施例１と同様に、補助骨１２によって外側シート２１が押し下げられ、内側シート２０と外側シート２１との間隙が大きく拡開して、傘内に吹き込んだ風を効率的に排出する。
【実施例３】
【００１２】
　図５は、二つ折り式の風抜き傘である実施例３を示す。
　中心棒５は、伸縮可能に形成され、親骨１０は、内親骨１０１と外親骨１０２とに分割されている。
　内親骨１０１の内端部は上ロクロ３に枢着されると共に、外端部は受骨１１の中間部に枢着され、外親骨１０２の内端部は受骨１１の外端部に枢着されている。また、外親骨１０２に連結具１３が設けられ、連結具１３から外親骨１０２の下方を通り中心棒５に向けて補助骨１２が張り出している。
　その他の構成及び使用方法は、実施例１とほぼ同様であり、風抜き傘を開くと、内側シート２０と外側シート２１との間隙が開いて風を排出する。
【実施例４】
【００１３】
　図６は、三つ折り式の風抜き傘である実施例４を示す。
　親骨１０は、内親骨１０１、中親骨１０３及び外親骨１０２から成り、中親骨１０３の両端は、内親骨１０１の外端部及び外親骨１０２の内端部にそれぞれ枢着されている。
　また、中親骨１０３の中間部に連結具１３が設けられ、中親骨１０３の下方を通って補助骨１２が中心棒５方向へ張り出している。
　さらに、連結具１３よりも外方のＨ位置において、中親骨１０３が外側シート２１の通孔へ挿通され、Ｈ位置よりも外方のＰ位置において、内側シート２０が中親骨１０３に固定されている。
　その他の構造及び使用方法は、実施例３と同様である。
【実施例５】
【００１４】
　図７は、四つ折り式の風抜き傘である実施例５を示す。
　親骨１０は、内親骨１０１、前中親骨１０３１、後中親骨１０３２、外親骨１０２とから成り、前中親骨１０３１、後中親骨１０３２及び外親骨１０２は、内側からこの順に配置されて、互いに枢着されている。
　また、内親骨１０１は上ロクロ３と受骨１１の中間部との間に配置され、後中親骨１０３２の内端部に受骨１１の外端部が枢着されている。
　そして、連結具１３よりも外方において、後中親骨１０３２が外側シート２１の通孔へ挿通され、さらにその外方において、内側シート２０が後中親骨１０３２に固定されている。
　その他の構造及び使用方法は、実施例３とほぼ同様である。
　なお、本考案は、その他の傘にも応用することができる。
【図面の簡単な説明】
【００１５】
【図１】実施例１を示す風抜き傘の要部断面図。
【図２】図１の要部拡大図。
【図３】同上の風抜き作用を説明する要部断面図。
【図４】実施例２を示す風抜き傘の要部断面図。
【図５】実施例３を示す風抜き傘の要部断面図。
【図６】実施例４を示す風抜き傘の要部断面図。
【図７】実施例５を示す風抜き傘の要部断面図。
【符号の説明】
【００１６】
　１０　親骨
　１０１　内親骨
　１０２　外親骨
　１０３　中親骨
　１０３１　前中親骨
　１０３２　後中親骨
　１１　受骨
　１２　補助骨
　１３　連結具
　１４　連結骨
　２　シート
　２０　内側シート
　２１　外側シート
　３　上ロクロ
　４　下ロクロ
　５　中心棒
　６　係留筒
　７　コイルスプリング
【図１】
0003099598.tif 000003
【図２】
0003099598.tif 000004
【図３】
0003099598.tif 000005
【図４】
0003099598.tif 000006
【図５】
0003099598.tif 000007
【図６】
0003099598.tif 000008
【図７】
0003099598.tif 000009